(57)【要約】【課題】掃除機やバフマシンから伸びるコ−ドを床を這うことなく作業することを可能としたコンセントとプラグの組み合わせ構造であり、天井に備えられたコンセントにプラグを差し込む構造である。【解決手段】本発明は、天井に備えた電源用コンセント１０と、これに差し込み可能な柄付きプラグ２０とからなるコンセント１０とプラグ２０の組み合わせ構造であり、柄２２は伸縮可能な柄２２がよく、更に好ましくは、コンセント１０がプラグ２０に対してロック機構を備えたものである。【選択図】図１
2008270111.tif 000002
【特許請求の範囲】
【請求項１】
天井に備えた電源用コンセントと、これに差し込み可能な柄付きプラグとからなるコンセントとプラグの組み合わせ構造。
【請求項２】
前記柄付きプラグの柄が、伸縮可能な柄である請求項１記載のコンセントとプラグの組み合わせ構造。
【請求項３】
前記電源用コンセントがプラグに対してロック機構を備えた請求項１又は２記載のコンセントとプラグの組み合わせ構造。
【請求項４】
前記柄付きプラグにコ−ド差し込みコンセントを備えた請求項１乃至３いずれか１記載のコンセントとプラグの組み合わせ構造。
【請求項５】
前記柄付きプラグの柄が、プラグがコンセントに差し込まれた後にプラグと着脱可能とされた請求項１記載のコンセントとプラグの組み合わせ構造。
【請求項６】
柄の先端に形成されたプラグ収納部内にコンセントに差し込まれたプラグを収納し、この状態で、柄を下側に移動してコンセントよりプラグを引き抜く機能を付加した請求項５記載のコンセントとプラグの組み合わせ構造。
【請求項７】
柄の先端に形成されたプラグ収納部内にプラグを収納してコンセントにプラグを差し込み、この状態で、柄を右又は左に回転してプラグをコンセントにロックさせる機能を付加した請求項５記載のコンセントとプラグの組み合わせ構造。
【請求項８】
プラグの側部に少なくとも１本の突起を形成するとともに、柄の先端にプラグ収容部と前記突起が挿入される溝部が形成され、柄を回転することにより収容されたプラグを同時に回転させる請求項５乃至７いずれか１記載のコンセントとプラグの組み合わせ構造。
【請求項９】
プラグの側部に平行面を形成するとともに、この側面より外側に張出部を形成し、柄の先端に前記平行面に対向する平行面と張出部を収容する窪みを形成し、かつ、当該平行面と窪みは柄の側方に開口され、柄を回転することにより収容されたプラグを同時に回転させる請求項５乃至７いずれか１記載のコンセントとプラグの組み合わせ構造。
【請求項１０】
プラグの側部に少なくとも１つの平面を形成するとともに、柄の先端に前記平面に対向する平面を有するプラグ収容部と、プラグの上面に嵌め合わされる断発性を有する爪部が形成され、柄を回転することにより収容されたプラグを同時に回転させる請求項５乃至７いずれか１記載のコンセントとプラグの組み合わせ構造。
【請求項１１】
プラグ収容部は平面方向に開口された請求項８記載のコンセントとプラグの組み合わせ構造。
【発明の詳細な説明】
【技術分野】
【０００１】
本発明はコンセントとプラグの組み合わせに関するものであり、特に言えば、天井吊り下げタイプの電源コンセントと特殊な構造をもつプラグの組み合わせ構造に係るものである。
【背景技術】
【０００２】
以下、本発明のコンセントとプラグの組み合わせ構造を、問題のない限りコンビニ等の店舗の床を掃除する掃除機に適用した例をもって説明するが、コンビニ等の店舗の床を掃除する際、掃除機より伸ばすことができるコ−ドのプラグを店内の床に近いところに備えられたコンセントに差し込み、このコ−ドが伸びる範囲をもってその掃除範囲として作業を行い、コ−ドのプラグを掃除機が移動する場所に備えられているコンセントに差し替えつつ清掃作業を行うこととなっている。
【０００３】
このため、清掃作業中はコ−ドが床面を常に這う状態となり、作業者や買い物客の足に絡みついたり、商品に引っ掛かったりしていた。勿論、清掃範囲を替える度に新たなコンセントにプラグを差し込むという作業も行わなくてはならなかった。
【発明の開示】
【発明が解決しようとする課題】
【０００４】
本発明は以上のような従来技術に鑑みてなされたものであり、掃除機やバフマシンから伸びるコ−ドを床を這うことなく作業することを可能としたコンセントとプラグの組み合わせ構造を提供するものである。
【課題を解決するための手段】
【０００５】
本発明の要旨は、天井に備えた電源用コンセントと、これに差し込み可能な柄付きプラグとからなるコンセントとプラグの組み合わせ構造（請求項１）であり、好ましくは、前記柄は伸縮可能な柄（請求項２）であり、更に好ましくは、前記のコンセントがプラグに対してロック機構を備えた（請求項３）ものである。尚、場合によっては、前記柄付きプラグよりコ−ドが直接掃除機に連結されず、柄付きプラグにコ−ド差し込みコンセントを備えたもの（請求項４）であってもよい。
【０００６】
尚、請求項１記載の柄付きプラグの柄は、プラグがコンセントに差し込まれた後にプラグと着脱可能とされる（請求項５）のが最もよい。
【０００７】
このプラグと柄との着脱可能とするに当たっては、以下の機能をつけ加えることが特に好ましいこととなる。その一つは、柄の先端に形成されたプラグ収納部内にコンセントに差し込まれたプラグを収納し、この状態で、柄を下側に移動してコンセントよりプラグを引き抜く機能（請求項６）であり、二つ目は、柄の先端に形成されたプラグ収納部内にプラグを収納してコンセントにプラグを差し込み、この状態で、柄を右又は左に回転してプラグをコンセントにロックさせる機能（請求項７）である。
【０００８】
請求項５〜７の第１の具体例（請求項８）は、プラグの側部に少なくとも１本の突起を形成するとともに、柄の先端にプラグ収容部と前記突起が挿入される溝部が形成され、柄を回転することにより収容されたプラグを同時に回転させることができる構造である。
【０００９】
請求項５〜７の第２の具体例（請求項９）は、プラグの側部に平行面を形成するとともに、この側面より外側に張出部を形成し、柄の先端に前記平行面に対向する平行面と張出部を収容する窪みを形成し、かつ、当該平行面と窪みは柄の側方に開口され、柄を回転することにより収容されたプラグを同時に回転させることができる構造である。
【００１０】
請求項５〜７の第３の具体例（請求項１０）は、プラグの側部に少なくとも１つの平面を形成するとともに、柄の先端に前記平面に対向する平面を有するプラグ収容部と、プラグの上面に嵌め合わされる断発性を有する爪部が形成され、柄を回転することにより収容されたプラグを同時に回転させることができる構造である。この場合、プラグ収容部は平面方向に開口（請求項１１）された構造とすることもできる。
【発明の効果】
【００１１】
本発明の電源コンセントとプラグの組み合わせ構造にあって、通路や商品の頭上には一般に空間部が存在するところ、この部位をもって掃除機のコ−ドを電源に接続するようにしたものであり、天井に電源用のコンセントを備え、これに対してプラグを差し込みに便利なように柄付き構造としたものである。これによってコ−ドを床に這わせることなくコンセントとプラグの差し込みが容易となったものであり、掃除機の移動に際してもコ−ドが邪魔にならずに電気を順次供給可能としたものである。
【００１２】
特に、請求項５〜１１にあっては、柄とプラグとが着脱可能としたため、掃除機の使用中には柄の介在がなく、作業に邪魔になることはなく、柄はプラグをコンセントに差し込む時及びコンセントより取り外す時のみに使用すればよいこととなる。
【発明を実施するための最良の形態】
【００１３】
本発明の最大の特徴は、電源用のコンセントを天井に備え、これに対して柄付きのプラグをもって差し込み接続しようとするものである。このため、掃除機のコ−ドが床を這うことがなくなり、しかもコンセントに対してプラグの差し込み作業が簡単に行うことができることとなったものである。
【００１４】
そして、電源用のコンセントとしては、特に限定されるものではないが、好ましくはプラグに対してロック機構を備えたものがよい。このロック機構は差し込まれたプラグがコンセントより抜け落ちてしまうのを避けるためであって、例えば、コンセントにプラグを差し込んだ後に、右又は左に若干回転することによってプラグの抜けを防止する構造が例示できる。
【００１５】
又、プラグも前記コンセントに差し込み可能であれば特に限定はないが、かかるプラグは天井に備えた前記コンセントに接続されるために柄付き構造（請求項１〜４）となっている。この柄の好適な例としては伸縮機能をもつものがよい。伸縮機能にあっても、特に限定されるものではなく、スライド式の伸縮や折り畳み式の伸縮性能等が考えられる。これは天井の高さによって柄が伸び縮みする構造であって、作業終了時の保管の際にも好適である。
【００１６】
プラグは柄の先端に備えられ、このプラグより掃除機に繋がるコ−ドが連続されているものであり、前記したロック機構に対してプラグを右又は左に回転することができるだけの強度を備えることが好ましいことは言うまでもない。柄について更に言えば、中空筒状体がよく、各種の金属材料や樹脂材料、更には竹や木等の天然の素材が選択され、できるだけ軽量のものが望まれる。尚、プラグより伸びるコ−ドはそのまま掃除機に接続される場合もあるが、例えば、柄の先端にコンセントに差し込まれるプラグが配置され、柄の後端に掃除機からのコ−ドが差し込まれるコンセントを備えたものでもよく、この場合には、両者間を柄の内部にて接続された構造のものである。
【００１７】
プラグと柄との関係は、接着剤などによって一体化させておくのもよいが、着脱可能とさせておく構造（請求項５〜１１）もある。この例にあっては、プラグを柄の先端にセットさせた状態でコンセントに差し込み、右又は左に回転することによって両者をロック可能としたものであり、その後、柄を取り外した状態で使用するものとなる。更に、プラグを取り外す際には、柄の先端にプラグを装着し、これを差し込みの場合とは逆に動かしてコンセントからプラグを取り外すこととなる。
【００１８】
請求項５〜１１におけるプラグと柄の関係は両者が別体として構成され、これをプラグを柄に装着した際にコンセントとの間でロックされることが好ましく、更に取り外しの際には柄を引っ張ることによってプラグがスム−ズにコンセントより引き抜かれることが必要である。
【実施例】
【００１９】
以下、本発明を図面をもって更に説明する。図１は本発明を構成するコンセントとプラグの一例を示す一部断面図である。１０はコンセント、２０は柄付きプラグである。コンセント１０は天井側の電源に装着され、プラグ差し込み穴１１が下向きに配置される。このプラグ差し込み穴１１に対して、プラグ押えプレ−ト１２が配置されている。
【００２０】
柄付きプラグ２０は、プラグ片２１とこれを連結固定する柄２２からなる。プラグ片２１にはコ−ド２３が接続され、接続部位は樹脂２４にて一体とされている。柄２２は中空としその上端２２ａにプラグ樹脂部２４を装着固定し、コ−ド２３は柄２２に開けたコ−ド穴２５より柄２２の外側に配置する構造となっている。このコ−ド２３は掃除機３０に接続されるものである。この例では、柄２２の下端２２ｂの周囲にグリップ部２６が形成されている。
【００２１】
本発明は天井に備えたコンセント１０に対しプラグ片２１を差し込むが、この差し込みを容易にするためにプラグ片２１に柄２２を備えた構成をなすものである。このため、天井のコンセント１０にプラグ片２１を差し込むに際して脚立等を必要とせずに差し込むことが可能となったものである。勿論、床面を掃除する掃除機のコ−ド２３は床面を這うことはなくなり、人に絡むことや商品に接触することもなくなり、更には、掃除作業をも簡便にすることが可能となったものである。
【００２２】
尚、図にあっては、柄２２は一本の長尺体を示したが、コンセント１０が備えられる天井の高さに合わせて柄２２の長さを調整できる構造も可能であり、柄２２が上下にスライド移動する構造のものでも、折畳可能な構造でもよい。
【００２３】
プラグ片２１に連なるコ−ド２３は、図例では柄２２の外側に伸びる構造となっているが、これに限定されることはなく、図２に示すように柄付きプラグ２０にあって、柄２２の上下に渡って内蔵し、コ−ド２３を柄２２の下端２２ｂより外部に連なる構造とすることも可能である。
【００２４】
図３は柄付きプラグ２０の更に他の例を示すものであり、プラグ片２１に連なるコ−ド２３は柄２２の上下に渡って内蔵し、コ−ド２３を柄２２の下端２２ｂに備えたコンセント２７に接続する構造となっている。
【００２５】
図３の柄付きプラグ２０にあっては、掃除機３０から伸びるコ−ドのプラグをコンセント２７に差し込むことにより清掃作業が行われ、かかるコンセント２７に別の装置のプラグを差し込むことにより別の機能をもつ装置を動かすことが可能となるものである。
【００２６】
図４は本発明に用いられるコンセント１０の他の例を示す正面図である。この例では、プラグロック機構を備えたコンセント１０であり、プラグ押えプレ−ト１２は一対の円弧をなす状態に立設された例であり、プラグ差し込み穴１１もこれに対応して円弧状をなす穴とされている。プラグ押えプレ−ト１２にはプラグ片２１に形成されている穴２１ａに対応して突起１２ａが形成されている。従って、このコンセント１０に対しては、先ずプラグ片２１をやや斜め、即ち、プラグ押えプレ−ト１２の突起１２ａが形成されていない側に差し込み、この状態でプラグ２０を回転させてプラグ片２１の穴２１ａとプラグ押えプレ−ト１２の突起１２ａを合致させて抜けを防止する構造である。尚、図４にあって、プラグ押えプレ−ト１２のみを取り出して図示した。
【００２７】
コンセント１０とプラグ２０は使用中に抜けがあっては好ましくないことは明らかである。図４のコンセント１０にあっては、差し込まれたプラグ片２１を右又は左に回転させてロック及びロック解除を行うものである。このため、差し込まれるプラグ２０及び柄２２を特定の構成とする必要がある。図にあって、プラグ片２１ａをプラグ差し込み穴１１のａ部に差し込み、これを回転させてｂ部に回転移動することによってロックすることとなる。勿論、プラグ片２１ａをｂ部よりａ部に回転移動させた後に引き抜くことによってプラグ２０をコンセント１０より外すことができる。
【００２８】
図５はかかるロック機構に対応するプラグ２０及び柄２２の構造（請求項８）を示す図である。プラグ２０の後端２０Ａには左右（一方で可）に突出する突起２１ｂが備えられている。一方、柄２２にあっては、その先端を中空２２ａとし、プラグ２２の後端２０Ａがここに嵌め込まれる構造となっている。そして、先端に前記した突起２１ｂに対向して溝２２ｄが形成される。かかる溝２２ｄは垂直或いは斜めに形成されていてもよいことは言うまでもない。この例にあっては、更に左右に溝２２ｅが形成されている。
【００２９】
この例では、突起２１ｂ及び溝２２ｄを嵌め合わせることによって、プラグ２０をコンセント１０にロックさせる機能、及びコンセント１０よりプラグ２０を引き抜く機能を付加したものである。
【００３０】
図４のコンセント１０及び図５に示す柄付きプラグ２０との組み合わせ構造を説明すると、先ず、プラグ２０の後端２０Ａを柄２２の中空部２２ａに嵌め込み、かつ、突起２１ｂを溝２２ｄ内に挿入する。この状態をもってコンセント１０にプラグ２０を差し込み、次いで、柄２２を回転してプラグ２０とコンセント１０とをロックさせ、その後、柄２２をプラグ２０より取り外すこととなる。取り外しは突起２１ｂを溝２２ｄの深部より上方にスライドさせて両者を離脱させるものである。
【００３１】
このように、コンセント１０からプラグ２０を取り外す場合は、プラグ２０と柄２２との嵌め込みと同じ作業をすればよく、プラグ２０の嵌め込みと逆方向に柄２２を回転することによって完了する。
【００３２】
図６は前記のロック機構に対応するプラグ２０及び柄２２の構造（請求項９）を示す図である。この例では、プラグ２０の側部に平行面２０ｐ、２０ｑを形成するとともに、外側に張出部２０ｒを形成した。一方、柄２２の先端には前記平行面２０ｐ、２０ｑに対向する平行面２２ｐ、２２ｑと、前記張出部２０ｒを収容する窪み２２ｒを形成し、かつ、当該平行面２２ａ、２２ｂと窪み２２ｃは柄２２の側方に開口２２Ａされている。
【００３３】
即ち、この開口部２２Ａよりプラグ２０が柄２２に収納され、この状態で柄２２を回転することにより両者の平面２０ｐ、２０ｑ及び２２ｐ、２２ｑが接触してプラグ２０も回転し、コンセント１０への差し込み及び取り外しが可能となったものである。
【００３４】
この例では、平面２０ｐ、２０ｑ及び平面２２ｐ、２２ｑを接触させることによってプラグ２０を回転させてロックさせる機能、及び張出部２０ｒとこれを収容する窪み２２ｒを嵌め合わせることによってコンセント１０より引き抜く機能を付加したものである。
【００３５】
図７は図６の変形例であり、プラグ２０の外側に断面三角形状の張出部２０ｒを形成した例である。一方、柄２２の先端にも前記張出部２０ｒを収容する断面三角形状の窪み２２ｒを形成したものである。かかるプラグ２０及び柄２２、更にはコンセント１０とプラグ２０との間の着脱は前例と同様であり、ここでは省略する。
【００３６】
図８は前記のロック機構に対応するプラグ２０及び柄２２の構造（請求項１０及び１１）を示す図である。この例では、プラグ２０の側部を一対の平行面２０ｐ、２０ｑ（一方のみで可）とした。一方、柄２２の先端には前記平行面２０ｐ、２０ｑに対向する平行面２２ｐ、２２ｑを形成し、かつ、プラグ２０の上面２０ｄに嵌め合わされる爪部２２ｆが備えられている。この平行面２２ｐ、２２ｑは柄２２の側方に開口２２Ａされている。
【００３７】
即ち、プラグ２０が開口部２２Ａより柄２２に収納され、プラグ２０の上面２０ｄが爪部２２ｆによって固定される。この状態で柄２２を回転することにより両者の平面２０ｐ、２０ｑ及び２２ｐ、２２ｑが接触してプラグ２０も回転し、コンセントへの差し込み及び取り外しが可能となったものである。
【００３８】
この例にあって、図９に示すように爪部２２ｆは弾発性を付与し、後方に曲げられるようにすることにより、開口部２２Ａを形成せずに、コンセントに差し込まれたプラグ２０を挿入しプラグ２０を引き抜くこともできる。むことも可能である。尚、この場合、図示はしないが柄２２の反対側に爪部が存在しない窪みを形成してプラグ２０をここに嵌め込み、コンセントへのプラグの差し込みを可能とする。
【産業上の利用可能性】
【００３９】
本発明は以上の通りであり、特に天井に備えたコンセントに対してプラグを容易に差し込むことができることとなったものであり、床面を清掃する掃除機に適用できることは勿論、バフマシンを初めとして、他のいかなる装置にも適用可能である。
【図面の簡単な説明】
【００４０】
【図１】図１は本発明を構成するコンセントとプラグを示す一部断面図である。
【図２】図２は本発明を構成するプラグの他の例を示す一部断面図である。
【図３】図３は本発明を構成するプラグの更に他の例を示す一部断面図である。
【図４】図４は本発明に用いられるコンセントの他の例を示す正面図である。
【図５】図５は請求項８に基づくプラグ及び柄を示す図である。
【図６】図６は請求項９に基づくプラグ及び柄を示す図である。
【図７】図７は図６の変形例を示すプラグ及び柄を示す図である。
【図８】図８は請求項１０〜１１に基づくプラグ及び柄を示す図である。
【図９】図９は図８の変形例を示すプラグ及び柄を示す図である。
【符号の説明】
【００４１】
１０‥コンセント、
１１‥プラグ差し込み穴、
１２‥プラグ押えプレ−ト、
１２ａ‥プラグ押えプレ−トの突起、
２０‥プラグ、
２０Ａ‥プラグの後端、
２０ａ‥プラグの上面、
２０ｐ、２０ｑ‥プラグの側部の平行面、
２０ｒ‥張出部、
２１‥プラグ片、
２１ａ‥プラグ片の穴、
２１ｂ‥突起、
２２‥柄、
２２Ａ‥開口部、
２２ａ‥柄の上端、
２２ｂ‥柄の下端、
２２ｃ‥柄の中空部、
２２ｄ‥溝、
２２ｅ‥左右の溝、
２２ｆ‥爪部、
２２ｐ、２２ｑ‥柄に形成した平行面、
２２ｒ‥窪み、
２３‥コ−ド、
２４‥樹脂、
２５‥コ−ド穴、
２６‥グリップ部、
２７‥コンセント、
３０‥掃除機。
【図１】
2008270111.tif 000003
【図２】
2008270111.tif 000004
【図３】
2008270111.tif 000005
【図４】
2008270111.tif 000006
【図５】
2008270111.tif 000007
【図６】
2008270111.tif 000008
【図７】
2008270111.tif 000009
【図８】
2008270111.tif 000010
【図９】
2008270111.tif 000011